(57)【要約】【課題】  携帯に便利な折り畳み式衣類用ハンガーの提供。【解決手段】  基体と、一対の中継体と、一対の外肩体とを具えている。該基体はその上部にフックが設けられている。該一対の中継体はそれぞれ第１枢軸で該基体の両側外端部に枢設され、各中継体は該第１枢軸を軸として外向きに回転して展開されるか或いは上向きに回転して折り畳まれる。該一対の外肩体は、それぞれ第２枢軸で対応する中継体の外端部に枢設され、該第２枢軸を軸として外向きに回転して展開されるか或いは該中継体の方向に回転して折り畳まれる。該一対の中継体と該一対の外肩体は順に外向きに回転させられて展開し衣類用ハンガー形態を構成し、衣類の吊掛けに供される。また内向きに回転させられて折り畳まれて小体積の扁平折り畳み状態とされ、スーツケースや旅行鞄等の携帯収容容器中に入れて携帯するのに便利とされる。【選択図】        図２
2005348993.tif 000002
【特許請求の範囲】
【請求項１】
展開され衣類用ハンガー形態を形成して衣類の吊掛に供されるか折り畳まれて携帯に便利な小体積形態とされる折り畳み式衣類用ハンガーであり、
上部にフックが設けられた基体と、
それぞれ第１枢軸で該基体の両外端部に枢設されて第１枢軸を軸として外向きに回されて展開されるか或いは上向きに回され折り畳まれる一対の中継体と、
それぞれ第２枢軸で対応する中継体の外端部に枢設され、第２枢軸を軸として外向きに回されて展開されるか或いは中継体の方向に回され折り畳まれる一対の外肩体と、
を具え、折り畳み状態の時に該フックが一対の外肩体の間に位置することを特徴とする、折り畳み式衣類用ハンガー。
【請求項２】
請求項１記載の折り畳み式衣類用ハンガーにおいて、フックが吊軸を介して基体に接続されたことを特徴とする、折り畳み式衣類用ハンガー。
【請求項３】
請求項２記載の折り畳み式衣類用ハンガーにおいて、吊軸が回転自在の方式で基体に枢設されたことを特徴とする、折り畳み式衣類用ハンガー。
【請求項４】
請求項３記載の折り畳み式衣類用ハンガーにおいて、基体の上部に枢設孔が設けられ、吊軸の底部に少なくとも一つの弾性係止部が設けられ、吊軸底部が該枢設孔を通過し、並びに弾性係止部が自然に拡張して該枢設孔の底面周囲を係止することを特徴とする、折り畳み式衣類用ハンガー。
【請求項５】
請求項２記載の折り畳み式衣類用ハンガーにおいて、吊軸の上部及びフックの底部の間に関節が設けられ、並びに第３枢軸で枢設されたことを特徴とする、折り畳み式衣類用ハンガー。
【請求項６】
請求項５記載の折り畳み式衣類用ハンガーにおいて、関節が吊軸の上部に形成された縦溝に、フックの底部に設けられた凸板が置かれ、並びに第３枢軸で枢設されて形成されることを特徴とする、折り畳み式衣類用ハンガー。
【請求項７】
請求項５記載の折り畳み式衣類用ハンガーにおいて、関節がフックの底部に縦溝が形成され、吊軸の上部に凸板が設けられて縦溝中に置かれ、並びに第３枢軸で枢設されて形成されることを特徴とする、折り畳み式衣類用ハンガー。
【請求項８】
請求項１記載の折り畳み式衣類用ハンガーにおいて、基体の両外端部にそれぞれ凹溝が設けられ、一対の中継体の各中継体の内端部に凸塊が形成されて該凹溝中に置かれ、並びに第１枢軸で枢設されたことを特徴とする、折り畳み式衣類用ハンガー。
【請求項９】
請求項１記載の折り畳み式衣類用ハンガーにおいて、一対の中継体の各中継体が溝口が上向きの溝形体とされ、即ち各中継体がそれぞれ上凹溝を具え、一対の外肩体の各外肩体の内端部が対応する中継体の外端部に置かれ、並びに第２枢軸で枢設され、折り畳み時に、各外肩体が対応する中継体の上凹溝内に折り畳まれることを特徴とする、折り畳み式衣類用ハンガー。
【請求項１０】
請求項１記載の折り畳み式衣類用ハンガーにおいて、一対の外肩体の各外肩体が溝口が下向きの溝形体とされ、即ち各外肩体がそれぞれ底凹溝を具え、折り畳み時に、フックが各外肩体の底凹溝間に位置することを特徴とする、折り畳み式衣類用ハンガー。
【請求項１１】
請求項１記載の折り畳み式衣類用ハンガーにおいて、各第２枢軸に連接体が枢設され、該連接体が一対の外肩体の下方に位置し、各連接体の外端部に第４枢軸で底棒が枢設され、各底棒の対向端が相互に嵌合されて横棒を形成することを特徴とする、折り畳み式衣類用ハンガー。
【請求項１２】
請求項１１記載の折り畳み式衣類用ハンガーにおいて、一方の底棒の対向端に嵌め軸が設けられ、もう一方の底棒の対向端に嵌め孔が設けられて二つの底棒が相互に嵌合されることを特徴とする、折り畳み式衣類用ハンガー。
【発明の詳細な説明】
【技術分野】
【０００１】
本発明は一種の折り畳み式衣類用ハンガーに係り、折り畳んで小体積とでき、旅行等の外出時に携帯して随時衣類を掛けるのに使用できる折り畳み式衣類用ハンガーに関する。
【背景技術】
【０００２】
乗務員はもちろん、一般の人も旅行等で乗物に乗る機会は多く、旅行等で外出する時には天候の変化に対応できるように、或いはＴＰＯに併せてスーツの上着や外套等を着用する。しかし、乗物に乗る時間が長い場合、或いは天候が暑くなった場合や、正装を要する会場に未だ到着しないうちは、スーツを脱いで傍らに置くことが多い。
【０００３】
周知の衣類用ハンガーは、一般に固定式とされ、その体積は大きくスーツケースや旅行かばんに入れて携帯するには不便であった。且つ周知の衣類用ハンガーは車内に固定用の棒状物がないために衣類用ハンガーを垂直に維持できない。このため、旅行等外出時に、一般の人が衣類用ハンガーを携帯することは少なく、脱いだ上着等を傍らに置くことしかできない。これは場所をとり、衣類に皺がより、衣類を型崩れさせることさえある。
【発明の開示】
【発明が解決しようとする課題】
【０００４】
本発明は周知の衣類用ハンガーの折り畳み不能で携帯使用に不便である欠点を鑑み、新規で良好な機能を具えた折り畳み式衣類用ハンガーを提供することを課題としている。
【課題を解決するための手段】
【０００５】
請求項１の発明は、展開され衣類用ハンガー形態を形成して衣類の吊掛に供されるか折り畳まれて携帯に便利な小体積形態とされる折り畳み式衣類用ハンガーであり、
上部にフックが設けられた基体と、
それぞれ第１枢軸で該基体の両外端部に枢設されて第１枢軸を軸として外向きに回されて展開されるか或いは上向きに回され折り畳まれる一対の中継体と、
それぞれ第２枢軸で対応する中継体の外端部に枢設され、第２枢軸を軸として外向きに回されて展開されるか或いは中継体の方向に回され折り畳まれる一対の外肩体と、
を具え、折り畳み状態の時に該フックが一対の外肩体の間に位置することを特徴とする、折り畳み式衣類用ハンガーとしている。
請求項２の発明は、請求項１記載の折り畳み式衣類用ハンガーにおいて、フックが吊軸を介して基体に接続されたことを特徴とする、折り畳み式衣類用ハンガーとしている。
請求項３の発明は、請求項２記載の折り畳み式衣類用ハンガーにおいて、吊軸が回転自在の方式で基体に枢設されたことを特徴とする、折り畳み式衣類用ハンガーとしている。
請求項４の発明は、請求項３記載の折り畳み式衣類用ハンガーにおいて、基体の上部に枢設孔が設けられ、吊軸の底部に少なくとも一つの弾性係止部が設けられ、吊軸底部が該枢設孔を通過し、並びに弾性係止部が自然に拡張して該枢設孔の底面周囲を係止することを特徴とする、折り畳み式衣類用ハンガーとしている。
請求項５の発明は、請求項２記載の折り畳み式衣類用ハンガーにおいて、吊軸の上部及びフックの底部の間に関節が設けられ、並びに第３枢軸で枢設されたことを特徴とする、折り畳み式衣類用ハンガーとしている。
請求項６の発明は、請求項５記載の折り畳み式衣類用ハンガーにおいて、関節が吊軸の上部に形成された縦溝に、フックの底部に設けられた凸板が置かれ、並びに第３枢軸で枢設されて形成されることを特徴とする、折り畳み式衣類用ハンガーとしている。
請求項７の発明は、請求項５記載の折り畳み式衣類用ハンガーにおいて、関節がフックの底部に縦溝が形成され、吊軸の上部に凸板が設けられて縦溝中に置かれ、並びに第３枢軸で枢設されて形成されることを特徴とする、折り畳み式衣類用ハンガーとしている。
請求項８の発明は、請求項１記載の折り畳み式衣類用ハンガーにおいて、基体の両外端部にそれぞれ凹溝が設けられ、一対の中継体の各中継体の内端部に凸塊が形成されて該凹溝中に置かれ、並びに第１枢軸で枢設されたことを特徴とする、折り畳み式衣類用ハンガーとしている。
請求項９の発明は、請求項１記載の折り畳み式衣類用ハンガーにおいて、一対の中継体の各中継体が溝口が上向きの溝形体とされ、即ち各中継体がそれぞれ上凹溝を具え、一対の外肩体の各外肩体の内端部が対応する中継体の外端部に置かれ、並びに第２枢軸で枢設され、折り畳み時に、各外肩体が対応する中継体の上凹溝内に折り畳まれることを特徴とする、折り畳み式衣類用ハンガーとしている。
請求項１０の発明は、請求項１記載の折り畳み式衣類用ハンガーにおいて、一対の外肩体の各外肩体が溝口が下向きの溝形体とされ、即ち各外肩体がそれぞれ底凹溝を具え、折り畳み時に、フックが各外肩体の底凹溝間に位置することを特徴とする、折り畳み式衣類用ハンガーとしている。
請求項１１の発明は、請求項１記載の折り畳み式衣類用ハンガーにおいて、各第２枢軸に連接体が枢設され、該連接体が一対の外肩体の下方に位置し、各連接体の外端部に第４枢軸で底棒が枢設され、各底棒の対向端が相互に嵌合されて横棒を形成することを特徴とする、折り畳み式衣類用ハンガーとしている。
請求項１２の発明は、請求項１１記載の折り畳み式衣類用ハンガーにおいて、一方の底棒の対向端に嵌め軸が設けられ、もう一方の底棒の対向端に嵌め孔が設けられて二つの底棒が相互に嵌合されることを特徴とする、折り畳み式衣類用ハンガーとしている。
【発明の効果】
【０００６】
本発明は周知の衣類用ハンガーの折り畳み不能で携帯使用に不便である欠点を改善し、折り畳んでスーツケース等に入れて携帯するのに便利な折り畳み式衣類用ハンガーを提供している。
【発明を実施するための最良の形態】
【０００７】
本発明の折り畳み式衣類用ハンガーは、基体と、一対の中継体と、一対の外肩体とを具えている。該基体はその上部にフックが設けられている。該一対の中継体はそれぞれ第１枢軸で該基体の両側外端部に枢設され、各中継体は該第１枢軸を軸として外向きに回転して展開されるか或いは上向きに回転して折り畳まれる。該一対の外肩体は、それぞれ第２枢軸で対応する中継体の外端部に枢設され、該第２枢軸を軸として外向きに回転して展開されるか或いは該中継体の方向に回転して折り畳まれる。該一対の中継体と該一対の外肩体は順に外向きに回転させられて展開し衣類用ハンガー形態を構成し、衣類の吊掛けに供される。また内向きに回転させられて折り畳まれて小体積の扁平折り畳み状態とされ、スーツケースや旅行鞄等の携帯収容容器中に入れて携帯するのに便利とされる。
【０００８】
このほか、上述の各第２枢軸に連接体が枢設されて、該連接体は一対の外肩体の下方に位置し、各連接体の外端部に第４枢軸で底棒が枢設され、各底棒の対向端が相互に嵌合されて横棒を形成し、ズボンを掛けるのに供される。折り畳み時には、これら連接体及びこれら底棒もまた回転させられて上述の一対の中継体と一対の外肩体と同一軸方向の状態とされ、扁平な折り畳み形態を形成し、携帯に便利とされる。
【実施例１】
【０００９】
図１は本発明の折り畳み式衣類用ハンガーの折り畳み状態の外観立体図であり、図２は本発明の折り畳み式衣類用ハンガーの展開過程表示図であり、そのうち一対の中継体が外向きに回されて展開された状態を示す。図３は図２に続いての回転展開動作を示し、一対の外肩体が外向きに回され展開されて衣類用ハンガー形態を形成した状態を示す。
【００１０】
以上の図面に示されるように、本発明の衣類用ハンガーは少なくとも基体１、一対の中継体２、及び一対の外肩体３を具えている。
【００１１】
上述の基体１の上部にはフック１１が設けられている。該フックは直接基体に設けるか、或いは吊軸１２を介して回転自在の方式で基体１に枢設される。該吊軸１２と該基体１の間には実行可能な任意の枢設構造が使用され、例えば、基体１の上部に枢設孔１３が設けられ、該吊軸１２の底部が該枢設孔１３を通り、吊軸１２の底部の側壁に少なくとも一つの弾性係止部１２１が凸設され、吊軸１２底部が該枢設孔１３を通過し、弾性係止部１２１が自然に拡張して該枢設孔１３の底面の周囲を係止し、これにより吊軸１２と基体１が結合される。フック１１は吊軸１２を軸として水平方向に回転自在である。
【００１２】
吊軸１２の上部及びフック１１の底部の間に関節Ｃが設けられ、並びに第３枢軸１４で枢設される。該関節の構造は例えば、該吊軸１２の上部に縦溝１２２が設けられ、該フック１１の底部に凸板１１１が設けられて縦溝１２２内に置かれ、並びに第３枢軸１４で枢設される。これら縦溝１２２及び凸板１１１の設置位置は交換可能であり、即ち、フックの底部に縦溝が形成され、吊軸の上部に凸板が設けられて縦溝内に置かれ、更に第３枢軸で枢設されうる。これにより、該フック１１は第３枢軸１４を軸として前後に回転自在とされる。フック１１が水平方向及び前後方向に回転自在とされたことで、フック１１を車内に固定された任意の棒状物或いは條状物例えばシートのヘッドレストポストに固定する時、その基体１と一対の中継体２及び一対の外肩体３で構成された衣類用ハンガー形態の垂直性を維持できる。
【００１３】
上述の一対の中継体２の各中継体２は溝口が上向きの溝形体とされ、即ち各中継体がそれぞれ上凹溝２１を具えている。各中継体の内端部には凸塊２２が形成され、それぞれ基体の両外端に設けられた凹溝１５内に置かれ、並びに第１枢軸２３で枢設される。該一対の中継体２は第１枢軸２３を軸として外向きに回されて展開されるか或いは上向きに回されて折り畳まれる。
【００１４】
上述の一対の外肩体３の各外肩体３は溝口が下向きの溝形体とされ、即ち各外肩体がそれぞれ底凹溝３１を具えている。各外肩体３の内端部は各中継体２の外端部内に置かれ、並びに第２枢軸３２で枢設される。該一対の外肩体３は第２枢軸３２を軸として外向きに回され展開されるか或いは中継体２の方向に向けて回されて折り畳まれる。
【００１５】
図１は本発明の折り畳み式衣類用ハンガーの折り畳み状態を示し、この時、一対の外肩体３はそれぞれ第２枢軸３２を軸として回されて一対の中継体２の上凹溝２１内に折り畳まれ、該一対の中継体２が該一対の外肩体３に連帯して第１枢軸２３を軸として上向きに回されて折り畳まれ、並びに一対の外肩体３の底凹溝３１が相互に内向き方向となり、即ちフック１１が一対の外肩体３の底凹溝３１の間に位置し、全体として小体積の扁平形態を形成し、スーツケースや旅行かばん等の携帯容器に入れて携帯するのに便利であり、随時取り出して使用でき、極めて便利である。
【００１６】
本発明の折り畳み式衣類用ハンガーを使用する時は、上述の折り畳み過程と反対の手順で操作し、一対の中継体２と一対の外肩体３を順に外向きに回して展開すればよく、即ち図２に示されるように、まず一対の中継体２を第１枢軸２３を軸として外向きに回して展開し、更に図３に示されるように、一対の外肩体３を第２枢軸３２を軸として外向きに回して展開すればよい。一対の中継体２と基体１の間、及び一対の外肩体３と一対の中継体２の間にはそれぞれ展開位置決め壁１６、２４が設けられ、これにより、一対の中継体２と一対の外肩体３が外向きに回され展開される時、自然に展開位置決めが形成され、並びに衣類用ハンガー形態（図３）が形成され、衣類の吊掛に供される。
【００１７】
図４は本発明の折り畳み式衣類用ハンガーに底棒が増設された時の展開状態を示す。図５は図４の構造の折り畳み状態を示す。
【００１８】
これらの図に示されるように、上述の各第２枢軸３２に別にそれぞれ連接体４が枢設され、該連接体４は一対の外肩体３の下方に位置し、各連接体４の外端部にそれぞれ第４枢軸４１で底棒５が枢設され、各底棒の対向端が相互に嵌合されて横棒を形成し、ズボンの吊掛に供される。この二つの底棒の嵌合構造は、例えば、一方の底棒５に嵌め軸５１が設けられ、もう一方の底棒に嵌め孔５２が設けられて相互に嵌合されるものとする。
【００１９】
回転折り畳み時に、これら連接体４とこれら底棒５もまた第２枢軸３２と第４枢軸４１を軸とし、回されて折り畳まれて上述の一対の中継体２と一対の外肩体３と同一軸方向の状態とされ、扁平折り畳み状態を形成し、携帯に便利とされる。
総合すると、本発明は一種の折り畳み式衣類用ハンガーを提供し、その構造は新規性と進歩性及び実用性を具えている。
【図面の簡単な説明】
【００２０】
【図１】本発明の折り畳み式衣類用ハンガーの折り畳み状態の外観立体図である。
【図２】本発明の折り畳み式衣類用ハンガーの展開過程表示図であり、そのうち一対の中継体が外向きに回されて展開された状態を示す。
【図３】図２に続いての回転展開動作表示図であり、一対の外肩体が外向きに回され展開されて衣類用ハンガー形態を形成した状態を示す。
【図４】本発明の折り畳み式衣類用ハンガーに底棒が増設された時の展開状態表示立体図である。
【図５】図４の構造の折り畳み状態を示す立体図である。
【符号の説明】
【００２１】
１  基体
１１  フック
１１１  凸板
１２  吊軸
１２１  弾性係止部
１２２  縦溝
１３  枢設孔
Ｃ  関節
１４  第３枢軸
１５  凹溝
１６、２４  展開位置決め壁
２  中継体
２１  上凹溝
２２  凸塊
２３  第１枢軸
３  外肩体
３１  底凹溝
３２  第２枢軸
４  連接体
４１  第４枢軸
５  底棒
５１  嵌め軸
５２  嵌め孔
【図１】
2005348993.tif 000003
【図２】
2005348993.tif 000004
【図３】
2005348993.tif 000005
【図４】
2005348993.tif 000006
【図５】
2005348993.tif 000007